(57)【要約】【課題】  スプリングバックの発生や曲げ部分にかかる外力を原因とする、被接続電気部品との接続部分の剥離の問題を解消することができるフレキシブル配線基板と、このフレキシブル配線基板を用いた表示装置を提供する。【解決手段】    端子形成部１１に、両端に対し中央部が回路部側に位置する切込み１６を形成することによって、前記切込み１６の両端を結ぶ仮想線を回動軸とする可撓片１７を、前記回動軸より前記回路部側に突出するようにして、前記可撓片１７に接続端子１２を形成する。【選択図】      図１
2007012784.tif 000002
【特許請求の範囲】
【請求項１】
被接続電気部品と積層して配設されるフレキシブル配線基板であって、回路配線が形成された回路部と、該回路部に連設されて被接続電気部品の外方へ延出させた端子形成部とを有し、該端子形成部には、前記回路配線と電気接続された接続端子が形成されており、該接続端子は、前記被接続電気部品の外部接続端子に接続されるフレキシブル配線基板において、
前記端子形成部にはコ字状の切込みが形成されており、該切込みの両端に対し該切込みの中央部が前記回路配線側に位置するように形成され、該切込みの両端を結ぶ仮想線を回動軸とする可撓片が、前記回動軸よりも前記回路配線側に突出するようにされており、前記可撓片に前記接続端子が形成されていることを特徴とするフレキシブル配線基板。
【請求項２】
請求項１に記載のフレキシブル配線基板を用いた表示装置であって、表示装置を構成する前記被接続電気部品が表示パネルであり、該表示パネルの反視認側に、前記フレキシブル配線基板が前記表示パネルと積層して配設され、前記フレキシブル配線基板の端子形成部が前記表示パネルの端子形成部の一端辺の外方へ延出されており、前記可撓片に形成された接続端子が前記表示パネルの端子形成部に形成された外部接続端子と電気的に接続されていることを特徴とする表示装置。
【発明の詳細な説明】
【技術分野】
【０００１】
本発明は、表示パネルに対して略平行に配設されて表示パネルとの電気的な接続に用いられるフレキシブル配線基板と、このフレキシブル配線基板を用いた表示装置に関する。
【背景技術】
【０００２】
一対の透明基板間に液晶を封止してなり、前記一対の透明基板の所定の部分に選択的に電界を与えて特定の図形や文字等の情報を表示する液晶表示パネルが内蔵された液晶表示装置が、携帯電話やＰＤＡ（Personal Digital Assistant）等の表示装置として多く用いられている。
【０００３】
このような表示装置は、例えば液晶表示装置１においては、図５乃至図８に示すように、フレームケース４の上面に形成された凹部内に、液晶表示パネル２をその表示領域が前記フレームケース４の上面側に位置するようにして配設させるとともに、前記液晶表示パネル２の反視認側にバックライトユニット３を配設させ、さらに、前記フレームケース４の背面側に前記液晶表示パネル２の駆動を制御するコントロールＩＣなどを搭載する回路基板５を配設させ、この回路基板５と前記液晶表示パネル２とを電気的に接続させている。
【０００４】
詳しくは、前記液晶表示パネル２は、略平行に配置されて相対向するように配設された一対の透明基板６を有している。この一対の透明基板６のうちの観察者側（以下、表面側という）に位置する透明基板６はフロント基板６Ｆとされており、反観察者側（以下、背面側という）に位置する透明基板６はリア基板６Ｒとされている。前記各透明基板６Ｒ、６Ｆの互いに対向する面には、インジウム錫酸化物（以下、ＩＴＯという）等からなる透明電極が形成されている。そして、前記透明電極が形成された透明基板６の表面には、互いに対向する電極間で液晶分子を一定の形態に配列させるために表面にラビング処理が施された配向膜（図示せず）が形成されている。そして、一対の透明基板６の対向面間の周囲には、前記両透明基板６Ｒ、６Ｆを貼り合わせて一体化するためのシール材（図示せず）が略四角枠状に配設されており、前記シール材により囲まれた面内には、各透明基板６Ｒ、６Ｆの間隙寸法を調整するためのスペーサ（図示せず）とともに液晶（図示せず）が封入されて前記一対の透明基板６の対向面間に液晶層が形成されている。この液晶層が形成される部分は当該液晶表示パネル２の表示領域を構成することとなる。また、一対の透明基板６は、例えば、透明なガラスあるいはポリカーボネートなどの透明な樹脂が用いられ、略矩形の平板状に形成されている。一方の基板（リア基板６Ｒ）の一端辺部分は、他方の基板（フロント基板６Ｆ）の端縁より突出するように延出形成されている。この延出した部分には端子形成部７が形成されており、前記端子形成部７には、前記透明電極に電気接続された外部接続端子９がそれぞれ形成されている。
【０００５】
そして、前記外部接続端子９には、フレームケース４の背面側で前記液晶表示パネル２と積層して配設される回路基板５の端子形成部１１に引出形成された接続端子１２が異方性導電材等によって接続されており、これにより液晶表示パネル２と回路基板５が電気的に接続されるように構成されている。
【０００６】
ここで、前記回路基板５は、図８に示すように、ポリイミドなどの可撓性のフィルム材からなるベースフィルムの表面に、銅やアルミニウムなどの金属材を用いて所定のパターンの回路配線が形成されたフレキシブル配線基板５である。このフレキシブル配線基板５は、コントロールＩＣなどを搭載する回路配線が形成された回路部１３とこの回路部１３の一端部より延出された端子形成部１１とからなり、前記端子形成部には、前記回路配線から引出された所定パターンの信号端子１４とこの信号端子１４に連なる接続端子１２がそれぞれ形成されている。なお、図８には、一例として、１本の信号端子１４の引廻しパターンと、その信号端子１４に連続させて形成された接続端子１２が図示されている。
【０００７】
また、前記バックライトユニット３は、前記液晶表示パネル２の背面側、すなわち、フレームケース４の凹部内の底面側に収納され、入射面から内部へ入射した光を、前記液晶表示パネル２の表示領域に向う平面光として照射する導光板（図示せず）、前記導光板の裏面から漏れる光を前記導光板に反射させて戻すための反射フィルム（図示せず）、前記導光板から照射される光を拡散させるための拡散フィルム（図示せず）、輝度を上昇させるための２枚の光学フィルム（図示せず）およびＬＥＤやＣＣＴ（冷陰極蛍光管）などの光源１８から構成されている。
【０００８】
そして、前記導光板の側方に設置された光源１８は前記フレームケース４の背面側に配設される回路基板としてのフレキシブル配線基板５から電極端子１９を通じて供給される電流によって発光し、前記光源１８から発光される照射光は、前記導光板により面光源として機能し、前記液晶表示パネル２に均一に照射光を照射するように構成されている。
【０００９】
【特許文献１】特開２００３−２４３７７８号公報
【発明の開示】
【発明が解決しようとする課題】
【００１０】
このような構成を有する液晶表示装置１において、液晶表示パネル２と接続される回路基板としてのフレキシブル配線基板５は、その接続端子１２を、液晶表示装置１の液晶表示パネル２の端子形成部７に形成された外部接続端子９と接続させるべく、図６に示すように、その端子形成部７の側方でＵ字状に約１８０°、折り返されることとなる。
【００１１】
そのため、スプリングバック（曲げ戻り）や、折り曲げられた端子形成部にかかる外力などを原因として、前記液晶表示パネル２の外部接続端子９とフレキシブル配線基板５の接続端子１２との接続部分が剥離することがあった。このように接続部分に剥離が生じると、電気的な接続が破壊されるため、液晶表示パネル２に表示不良が発生してしまう。
【００１２】
そこで、本発明は、従来のフレキシブル配線基板のスプリングバックの発生や曲げ部分にかかる外力を原因とする、被接続電気部品との接続部分の剥離の問題を解消することができるフレキシブル配線基板と、このフレキシブル配線基板を用いた表示装置を提供することを目的とする。
【課題を解決するための手段】
【００１３】
前述した目的を達成するため、本発明の請求項１に係るフレキシブル配線基板は、被接続電気部品と積層して配設されるフレキシブル配線基板であって、回路配線が形成された回路部と、該回路部に連設されて被接続電気部品の外方へ延出させた端子形成部とを有し、該端子形成部には、前記回路配線と電気接続された接続端子が形成されており、該接続端子は、前記被接続電気部品の外部接続端子に接続されるフレキシブル配線基板において、前記端子形成部にはコ字状の切込みが形成されており、該切込みの両端に対し該切込みの中央部が前記回路配線側に位置するように形成され、該切込みの両端を結ぶ仮想線を回動軸とする可撓片が、前記回動軸よりも前記回路配線側に突出するようにされており、前記可撓片に前記接続端子が形成されていることを特徴とする。
【００１４】
また、本発明の請求項２に係る表示装置は、前述のフレキシブル配線基板を用いた表示装置であって、表示装置を構成する前記被接続電気部品が表示パネルであり、該表示パネルの反視認側に、前記フレキシブル配線基板が前記表示パネルと積層して配設され、前記フレキシブル配線基板の端子形成部が前記表示パネルの端子形成部の一端辺の外方へ延出されており、前記可撓片に形成された接続端子が前記表示パネルの端子形成部に形成された外部接続端子と電気的に接続されていることを特徴とする。
【発明の効果】
【００１５】
本発明のフレキシブル配線基板は、被接続電気部品の外方へ延出する端子形成部に形成された可撓片を撓ませ、前記回動軸を以て、被接続電気部品が配置されている該フレキシブル配線基板のいずれかの面側に鋭角に立ち上げさせることで、該可撓片に形成された接続端子を被接続電気部品の外部接続端子と接続させることが可能な構成とされている。
【００１６】
このような構成とされた本発明のフレキシブル配線基板は、被接続電気部品との電気的接続の際に、フレキシブル配線基板の端子接続部を略１８０°折り曲げてＵ字状にする必要がないので、従来のフレキシブル配線基板のスプリングバックの発生や曲げ部分にかかる外力を原因とする、被接続電気部品との接続部分の剥離の問題を解消し、電気的な接続安定性を確保することができる。
【００１７】
また、本発明の表示装置は、前述の構成のフレキシブル配線基板を用い、前記可撓片に形成された接続端子と前記表示パネルの端子形成部に形成された外部接続端子とを電気的に接続させている。
【００１８】
このような構成とされた本発明の表示装置においては、フレキシブル配線基板の端子接続部分にスプリングバックの発生や曲げ部分にかかる外力の問題が発生せず、表示パネルと、この表示パネルに対して略平行に配設される回路基板としてのフレキシブル配線基板との電気的な接続を簡単かつ強固なものとすることができ、表示装置の表示品位を安定かつ向上させることができる等の効果を奏する。
【発明を実施するための最良の形態】
【００１９】
以下、本発明のフレキシブル配線基板の一実施形態と、このフレキシブル配線基板を用いた表示装置としての液晶表示装置の一実施形態を図１乃至図４を用いて説明する。なお、以下において、従来のフレキシブル配線基板および表示装置１の説明で用いた各部材と同一の部材については、同一の符号を付して説明する。
【００２０】
まず、本実施形態のフレキシブル配線基板５について説明する。
【００２１】
本実施形態のフレキシブル配線基板５は被接続電気部品に積層して配設される回路基板の一種であり、図１に示すように、前記被接続電気部品と外形状が略同一とされた領域に所定のパターンの回路配線が形成された回路部１３と、この回路部１３に連設され、前記被接続電気部品の外部接続端子の形成辺の外方へ延出される端子形成部１１とを有する１枚の回路基板として形成されている。そして、前記端子形成部１１には、前記回路配線から引き出された所定パターンの信号端子１４と、各信号端子１４に連設され、被接続電気部品の外部接続端子と接続させる接続端子１２が配列形成されている。
【００２２】
詳しくは、前記被接続電気部品の外方へ延出される前記端子形成部１１の領域内には、コ字状の切込み１６が形成されている。そして、この切込み１６によって、前記切込み１６の両端を結ぶ仮想線を回動軸とする凸形状の可撓片１７が、前記回動軸より前記回路部側に突出するようにして形成されている。そして、前記可撓片１７の先端辺部分には、前記回路部１３に形成された回路配線から引き出された信号端子１４に連設され、被接続電気部品の外部接続端子と接続させる接続端子１２が配列形成されている。なお、図１には、１本の信号端子１４の引廻しパターンと、その信号端子１４に連設された接続端子１２を図示するが、図示しない他の信号端子においても同様に、所定のパターンに引回され、その先端部に連設された接続端子を、図示した前記接続端子１２と並列させて形成されているものとする。
【００２３】
なお、フレキシブル配線基板５は、ポリイミドなどの可撓性のフィルム材からなるベースフィルムの表面に、銅やアルミニウムなどの金属材を用いて、回路部１３の回路配線や端子形成部１１の信号端子１４および接続端子１２が形成されているものとする。また、前記切込み１６は、本実施形態においては略コ字状に形成したが、両端に対し中央部が前記回路部側に突出する形状であればよく、例えば、櫛歯状とすることも可能である。また、前記切込み１６の溝幅寸法は任意である。しかしながら、溝幅寸法は、例えば、立ち上げた可撓片１７と端子形成部１１との間に形成される空間部に介在することとなる各部品（図３においては、バックライトユニットなど）の厚さを十分吸収可能な寸法に設計することが望ましい。さらに、前記接続端子１２を配列形成する部位も、前記可撓片１７の先端辺に限ることなく、対応する被接続電気部品の外部接続端子の形成位置に合わせて変更することができる。
【００２４】
このような構成を有するフレキシブル配線基板５は、被接続電気部品の外方へ延出する端子形成部１１に形成された可撓片１７を撓ませ、前記回動軸を以て、該フレキシブル配線基板５に対する被接続電気部品の配置方向となる上面側あるいは下面側へ鋭角に立ち上げ、その状態で、該可撓片１７に形成された接続端子１２を被接続電気部品の外部接続端子と接続させるようにして用いる。
【００２５】
このような構成とされた本発明のフレキシブル配線基板５は、被接続電気部品との電気的接続の際、従来のフレキシブル配線基板５のように端子形成部の側方で略１８０°折り曲げてＵ字状にする必要がないので、スプリングバックの発生や曲げ部分にかかる外力を原因とする接続部位の剥離の問題が発生せず、電気的な接続安定性を確保することができる。
【００２６】
また、本実施形態のフレキシブル配線基板５は、その端子形成部を折り曲げることがないので、該端子形成部に多くのスルーホールを形成することが可能となり、また、回路配線をその両面に形成して、いわゆる両面ＦＰＣとし、配線面積を大きく確保することが可能になる。
【００２７】
次に、このフレキシブル配線基板５を使用した、表示装置としての液晶表示装置１について、図２乃至図４を用いて説明する。
【００２８】
本実施形態の表示装置は、被接続電気部品としての液晶表示パネル２の反視認側に、前記フレキシブル配線基板５が前記端子形成部１１を前記液晶表示パネル２の端子形成部１１の一端辺の外方へ突出させた状態で配設されており、前記可撓片１７に形成された接続端子１２が前記液晶表示パネル２の端子形成部７に形成された外部接続端子９と電気的に接続されている。
【００２９】
詳しくは、本実施形態の液晶表示装置１は、フレームケース４の上面に形成された凹部内には、その表示領域を上面側に位置させた液晶表示パネル２と、その液晶表示パネル２の反視認側に配設されたバックライトユニット３が収納されている。なお、前記フレームケース４、液晶表示パネル２、およびバックライトユニット３の構成については、前述した従来例におけるそれぞれと同様の、一般的な構成のものを用いることとし、その説明は省略する。
【００３０】
そして、前記フレームケース４の背面側には、前記液晶表示パネル２の駆動を制御するコントロールＩＣなどを搭載する回路基板としてのフレキシブル配線基板５が配設されており、このフレキシブル配線基板５の端子形成部１１に形成された接続端子１２と前記液晶表示パネル２の端子形成部７に形成された外部接続端子９は異方性導電材等により接続されている。
【００３１】
すなわち、前記回路基板としてのフレキシブル配線基板５は、前述した本発明の一実施形態としてのフレキシブル配線基板５であり、液晶表示パネル２を構成するリア基板６Ｒに形成された端子形成部辺から外方へ延出させるようにして配置される端子形成部１１には、コ字状の切込み１６が形成されている。そして、この切込み１６により、前記切込み１６の両端を結ぶ仮想線を回動軸とする凸形状の可撓片１７が、前記回動軸より前記可撓片１７が前記回路部側に突出するようにして形成されている。該可撓片１７の先端辺部分には、回路部１３の回路配線から引き出された信号端子１４と、その各信号端子１４に連設され、被接続電気部品としての液晶表示パネル２に形成された外部接続端子９と接続させる接続端子１２が配列形成されている。
【００３２】
そして、本実施形態の液晶表示装置１においては、フレキシブル配線基板５の前記可撓片１７は、前記回動軸を以て液晶表示パネル２の配設側に鋭角に立ち上げられており、この立ち上げた可撓片１７と端子形成部との間に形成される空間部には、バックライトユニット３およびフレームケース４の一端側が介在されている。その状態において、該可撓片１７に形成された接続端子１２は液晶表示パネル２の外部接続端子９と異方性導電材等によって接続され、これにより、液晶表示パネル２とフレキシブル配線基板５は電気的に接続されることとなる。
【００３３】
このような構成とされた本発明の表示装置１は、フレキシブル配線基板５の端子形成部１１にスプリングバックの発生や曲げ部分に掛かる外力の問題が発生せず、液晶表示パネル２と、この液晶表示パネル２に対して略平行に配設される回路基板５としてのフレキシブル配線基板５との電気的な接続を簡単かつ強固なものとすることができ、液晶表示装置１の表示品位を安定かつ向上させることができる
なお、本発明のフレキシブル配線基板および表示装置は、必要に応じて種々の変更が可能である。例えば、表示パネルとして、液晶表示パネルを例に挙げて説明したが、有機ＥＬ表示パネルやプラズマ表示パネルであってもよい。
【００３４】
さらに、フレキシブル配線基板に複数の端子形成部が形成される場合には、各端子形成部に接続端子が配列形成された前記可撓片を形成し、各可撓片を回動軸を以て撓ませて、それぞれの被接続電気部品の配置方向へ立ち上げ、接続端子を各被接続電気部品の外部接続端子に接続させるようにすることも可能である。
【図面の簡単な説明】
【００３５】
【図１】本発明のフレキシブル配線基板の一実施形態における平面概略図
【図２】本発明の表示装置の一実施形態であって、図１のフレキシブル配線基板を用いた液晶表示装置の平面概略図
【図３】図２の液晶表示装置の要部断面図
【図４】図２の液晶表示装置の底面概略図
【図５】従来の液晶表示装置の一例を示す平面概略図
【図６】図５の従来の液晶表示装置の要部断面図
【図７】図５の従来の液晶表示装置の底面概略図
【図８】従来のフレキシブル配線基板の一例を示す平面概略図
【符号の説明】
【００３６】
１  表示装置
２  液晶表示パネル
３  バックライトユニット
４  フレームケース
５  フレキシブル配線基板（回路基板）
６  透明基板
６Ｆ  フロント基板
６Ｒ  リア基板
７  端子形成部
９  外部接続端子
１１  端子形成部
１２  接続端子
１３  回路部
１４  信号端子
１６  切込み
１７  可撓片  
１８  光源
【図１】
2007012784.tif 000003
【図２】
2007012784.tif 000004
【図３】
2007012784.tif 000005
【図４】
2007012784.tif 000006
【図５】
2007012784.tif 000007
【図６】
2007012784.tif 000008
【図７】
2007012784.tif 000009
【図８】
2007012784.tif 000010